(57)【要約】【課題】容器本体内の内容物を一定量吐出することのできる定量吐出キャップを提供する。【解決手段】本定量吐出キャップ１は、吐出筒状部１７を有するキャップ本体１０と、キャップ本体１０の下方に配置される貯留体１１と、キャップ本体１０の吐出筒状部１７内に挿入される有底円筒状部３７を有する蓋体１２とから構成され、貯留体１１とキャップ本体１０との間に容器本体２を倒立させた状態で容器本体２内の内容物を貯留させる第１貯留室４５と、吐出筒状部１７の一部と蓋体１２の有底円筒状部３７の底部と貯留体１１に設けた貯留凹部２８との間に設けられ、容器本体２を正立させた状態で内容物を第１貯留室４５から流れ込み貯留させる第２貯留室４６とを備えたので、使用時には、キャップ本体１０の吐出筒状部１７から略一定量の内容物が外部に吐出されるようになる。【選択図】図１
0003180754.tif 000002
【実用新案登録請求の範囲】
【請求項１】
容器本体に装着される定量吐出キャップであって、
該定量吐出キャップは、前記容器本体に装着され、吐出筒状部を有するキャップ本体と、該キャップ本体の下方に前記容器本体内の内容物を覆うように配置される貯留体と、前記キャップ本体の前記吐出筒状部内に挿入される有底筒状部を有する蓋体と、から構成され、
前記貯留体と前記キャップ本体との間に前記容器本体を倒立させた状態で容器本体内の内容物を前記貯留体に設けた流出孔を経由して貯留させる第１貯留室と、
前記吐出筒状部の一部と前記蓋体の有底筒状部の底部と前記貯留体に設けた貯留凹部とが協働して設けられ、容器本体を正立させた状態で内容物を前記第１貯留室から流れ込み貯留させる第２貯留室と、
を備えたことを特徴とする定量吐出キャップ。
【請求項２】
前記貯留凹部は有底筒状に形成され、該貯留凹部と前記吐出筒状部とは同心状に配置されることを特徴とする請求項１に記載の定量吐出キャップ。
【請求項３】
前記貯留凹部及び前記吐出筒状部は、前記容器本体の中心から偏心された位置に配置されることを特徴とする請求項１または２に記載の定量吐出キャップ。
【請求項４】
前記蓋体は、前記有底筒状部の上端に、天面壁部を有する筒状の把持部が嵌合されて構成され、該把持部の内周面が前記吐出筒状部の上部外周面に螺合されることを特徴とする請求項１〜３のいずれかに記載の定量吐出キャップ。
【請求項５】
前記蓋体の前記有底筒状部が前記キャップ本体の前記吐出筒状部内に挿入されると、前記蓋体の前記有底筒状部の底部と、前記吐出筒状部に設けた前記第２貯留室に連通する開口部の上端とが略同一平面上に、または互いに近接した位置に配置されることを特徴とする請求項１〜４のいずれかに記載の定量吐出キャップ。
【考案の詳細な説明】
【技術分野】
【０００１】
本考案は、容器本体に装着され、容器本体内の内容物を一定量吐出させる定量吐出キャップに関するものである。
【背景技術】
【０００２】
従来技術として、特許文献１には、定量吐出容器は、容器本体の頂板と口部筒体と外壁とで区画形成された貯留室を備え、キャップの頂壁の内面中央に設けた円筒状の仕切壁内に計量室を備えると共に、キャップの頂壁に、ヒンジに対向した端部に注出口を設けて構成され、該定量吐出容器を倒立させて、内容物を計量室に流入させて、その後、定量吐出容器を正立状態に戻して、内容物を計量室から貯留室に流出させた状態とし、そして、開閉蓋を開放して、定量吐出容器を倒立させると、貯留室に貯留されている内容物が注出口を通って吐出され、内容物は既に計量室で計量されて貯留されており、正確な量の内容物が注出口より吐出されることが開示されている。
【先行技術文献】
【特許文献】
【０００３】
【特許文献１】特開２００６−１５１４６１号公報
【考案の概要】
【考案が解決しようとする課題】
【０００４】
しかしながら、特許文献１に係る定量吐出容器では、容器本体側に頂板と口部筒体を設ける必要があり、キャップ単体の構造にて一定の吐出量が得ることができないために、汎用性が乏しくなり、実用上問題が発生する虞がある。
【０００５】
本考案は、かかる点に鑑みてなされたものであり、キャップの構造を工夫することで容器本体内の内容物を一定量吐出することのできる定量吐出キャップを提供することを目的とする。
【課題を解決するための手段】
【０００６】
本考案は、上記課題を解決するための手段として、請求項１に記載した考案は、容器本体に装着される定量吐出キャップであって、該定量吐出キャップは、前記容器本体に装着され、吐出筒状部を有するキャップ本体と、該キャップ本体の下方に前記容器本体内の内容物を覆うように配置される貯留体と、前記キャップ本体の前記吐出筒状部内に挿入される有底筒状部を有する蓋体と、から構成され、前記貯留体と前記キャップ本体との間に前記容器本体を倒立させた状態で容器本体内の内容物を前記貯留体に設けた流出孔を経由して貯留させる第１貯留室と、前記吐出筒状部の一部と前記蓋体の有底筒状部の底部と前記貯留体に設けた貯留凹部とが協働して設けられ、容器本体を正立させた状態で内容物を前記第１貯留室から流れ込み貯留させることを特徴とするものである。
請求項１の考案では、まず、容器本体を倒立させると、容器本体内の内容物が貯留体の流出孔を経由して第１貯留室内に流れ込み、次に、容器本体を正立させると、第１貯留室の内容物が第２貯留室内に流れ込んで貯留された状態となる。そして、内容物を使用する時には、蓋体をキャップ本体の吐出筒状部から抜き取り、容器本体を使用方向に向かって傾けて略倒立状態にすれば、第２貯留室内の内容物が略一定量キャップ本体の吐出筒状部に案内されて外部に吐出されるようになる。
【０００７】
請求項２に記載した考案は、請求項１に記載した考案において、前記貯留凹部は有底筒状に形成され、該貯留凹部と前記吐出筒状部とは同心状に配置されることを特徴とするものである。
請求項２の考案では、第２貯留室を容易に形成することができる。
【０００８】
請求項３に記載した考案は、請求項１または２に記載した考案において、前記貯留凹部及び前記吐出筒状部は、前記容器本体の中心から偏心された位置に配置されることを特徴とするものである。
請求項３の考案では、内容物を使用する際、容器本体の傾ける方向を認識することができる。
【０００９】
請求項４に記載した考案は、請求項１〜３のいずれかに記載した考案において、前記蓋体は、前記有底筒状部の上端に、天面壁部を有する筒状の把持部が嵌合されて構成され、該把持部の内周面が前記吐出筒状部の上部外周面に螺合されることを特徴とするものである。
請求項４の考案では、蓋体により、キャップ本体の吐出筒状部を容易に閉塞することができる。
【００１０】
請求項５に記載した考案は、請求項１〜４のいずれかに記載した考案において、前記蓋体の前記有底筒状部が前記キャップ本体の前記吐出筒状部内に挿入されると、前記蓋体の前記有底筒状部の底部と、前記吐出筒状部に設けた前記第２貯留室に連通する開口部の上端とが略同一平面上に、または互いに近接した位置に配置されることを特徴とするものである。
請求項５の考案では、第２貯留室に貯留される内容物の量を確実に一定にすることができる。
【考案の効果】
【００１１】
本考案の定量吐出キャップによれば、その構造を工夫することで、常時、略一定量の内容物を外部に吐出させることができる。
【図面の簡単な説明】
【００１２】
【図１】図１は、本考案の実施の形態に係る定量吐出キャップが容器本体に装着された状態を示す断面図である。
【図２】図２は、本定量吐出キャップのキャップ本体を示す図であり、（ａ）は上面図であり、（ｂ）は断面図であり、（ｃ）は下面図である。
【図３】図３は、本定量吐出キャップの椀状体を示す図であり、（ａ）は上面図であり、（ｂ）は断面図である。
【図４】図４は、図４は、本定量吐出キャップの蓋体を示す断面図である。
【図５】図５は、本定量吐出キャップの作用を説明するための図である。
【考案を実施するための形態】
【００１３】
以下、本考案を実施するための形態を図１〜図５に基づいて詳細に説明する。
本考案の実施の形態に係る定量吐出キャップ１は、図１に示すように、容器本体２に装着され、該容器本体２内の内容物を一定量吐出させることができるものである。なお、容器本体２は、上端開口３を有する有底円筒状に形成される。容器本体２内に内容物が充填される。容器本体２の上端外周面にキャップ本体１０が螺合される雄ねじ部４が形成される。該雄ねじ部４の下端には外方に突設されるストッパ部５が形成される。また、内容物は、例えば、洗剤や砂糖等の粒体または顆粒状体である。
【００１４】
本定量吐出キャップ１は、図１に示すように、容器本体２の上端開口３に装着され、吐出筒状部１７を有するキャップ本体１０と、該キャップ本体１０の下方に容器本体２内の内容物を覆うように配置される貯留体１１と、キャップ本体１０の吐出筒状部１７内に挿入される有底筒状部を有する蓋体１２とから構成される。
【００１５】
図１及び図２に示すように、キャップ本体１０は、容器本体２の上端開口３を閉塞するように該容器本体２の上端外周に螺着されるものである。該キャップ本体１０は、円板状の天面壁部１４と、該天面壁部１４の外周端に接続される上側胴部１５と、該上側胴部１５の下端に環状段部１３を介して接続され、該上側胴部１５より大径に形成される下側胴部１６と、天面壁部１４を貫通して上下方向に延びる吐出筒状部１７とを備えている。下側胴部１６の内周面の上端には断面コ字状の溝部１８が一箇所形成される。該溝部１８から下方の内周面に容器本体２に設けた雄ねじ部４に螺合される雌ねじ部１９が形成される。吐出筒状部１７は、天面壁部１４から上方に突出して、下側胴部１６の下端から下方に突出する程度の長さに形成される。吐出筒状部１７は天面壁部１４の中心から下側胴部１６に設けた溝部１８とは径方向反対側に偏心する位置に配置される。また、吐出筒状部１７の天面壁部１４から上方に突出した部位には天面壁部１４に近接した位置の外周面に雄ねじ部３１が形成される。吐出筒状部１７の内周面でその下部に環状段部２０が形成される。吐出筒状部１７の内径は、環状段部２０より上側が下側よりも大径に設定される。吐出筒状部１７の下端周壁にはコ字状の開口部２１が形成される。該開口部２１は下側胴部１６に設けた溝部１８側に開口されている。開口部２１は吐出筒状部１７の中心角９０°相当で開口されている。開口部２１は、環状段部２０に到達する程度までの高さを有する。なお、図２（ａ）に示すように、キャップ本体１０の天面壁部１４の上面には、矢印のマークをその範囲をやや隆起させることで表示している。この矢印の方向は吐出筒状部１７が天面壁部１４の中心から偏心している方向である。内容物の使用時には、この矢印の方向に沿って容器本体２を傾けて使用することになる。
【００１６】
図１及び図３に示すように、貯留体１１は、キャップ本体１０の下方に、容器本体２内の内容物を覆うように配置される（図５（ａ）も参照）。該貯留体１１は、円筒状壁部２５と、該円筒状壁部２５の下端から径方向に沿って延びる上側壁部２６と、該上側壁部２６の下端から連続して椀状に延び、底部に開口部２９を有する椀状部２７と、該椀状部２７の開口部２９から連続して下方に向かって延びる有底円筒状の貯留凹部２８とを備えている。円筒状壁部２５の外周面には下側胴部１６に設けた溝部１８に対応する位置に係合突起部３０が形成される。上側壁部２６は、係合突起部３０側から径方向に沿って反対側に向ってやや斜め下方に延びるように構成される。椀状部２７及び貯留凹部２８は、その中心が円筒状壁部２５の中心から該円筒状壁部２５に設けた係合突起部３０とは径方向反対側に偏心する位置になるように配置される。椀状部２７の開口部２９周辺の上面は環状平坦部３５に形成される。椀状部２７の上部内周面には環状段部３３が形成され、該環状段部３３から外方に複数の流出孔３６が形成される。該流出孔３６は、椀状部２７の中心を中心として周方向に等間隔で３箇所形成される。各流出孔３６は、椀状部２７の中心を中心とする円弧状に形成され、その周方向の長さは中心角６０°相当に設定される。貯留凹部２８の下面は球面に形成される。なお、図示はされていないが、椀状部２７の外周面にて、椀状部２７に設けた各流出孔３６の位置はそれぞれ凹設されている。
【００１７】
図１及び図４に示すように、蓋体１２は、キャップ本体１０の吐出筒状部１７内に挿入される有底円筒状部３７と、該有底円筒状部３７の上端開口を塞ぐための天面壁部４７を有する筒状の把持部３８とから構成される。有底円筒状部３７の底部３４の外周面には外方に突出する環状突起部３９が形成される。環状突起部３９の外径は、キャップ本体１０の吐出筒状部１７の環状段部２０よりも上側の部位の内径に一致している。有底円筒状部３７の底面は上方に若干隆起している。有底円筒状部３７の上部外周面には環状係合溝部４０が形成される。把持部３８は、筒状に形成され、その上端が円形状の天面壁部４７の外周端に接続される。把持部３８の内周面にはその全高に亘って雌ねじ部４１が形成される。把持部３８の内側には係合筒状部４２が把持部３８と同心状に天面壁部４７から垂設される。係合筒状部４２の下端には、内方に突出する環状係合爪４３が形成される。係合筒状部４２の内径は有底円筒状部３７の外径に略一致している。一方、係合筒状部４２の外径はキャップ本体１０の吐出筒状部１７の内径に略一致している。そして、蓋体１２は、係合筒状部４２を有底円筒状部３７の上部外周面を覆うように被せると共に係合筒状部４２の環状係合爪４３を有底円筒状部３７の環状係合溝部４０に引っ掛けるようにして、有底円筒状部３７に把持部３８を装着して構成される。
【００１８】
そして、図１に示すように、まず、貯留体１１を上方からキャップ本体１０で覆うようにして、貯留体１１の円筒状壁部２５に設けた係合突起部３０を、キャップ本体１０の下側胴部１６に設けた溝部１８に係合しこれらの相対回転を不能にして、貯留体１１の円筒状壁部２５の上面をキャップ本体１０の上側胴部１５と下側胴部１６との間の環状段部１３の下面に当接させて貯留体１１とキャップ本体１０とを一体化する。この結果、キャップ本体１０の吐出筒状部１７の下端が、貯留体１１の椀状部２７の開口部２９周辺の上面に設けた環状平坦部３５に当接され、キャップ本体１０の吐出筒状部１７と、貯留体１１の貯留凹部２８とが同心状に配置される。また、貯留体１１の椀状部２７に設けた各流出孔３６がキャップ本体１０の吐出筒状部１７の開口部２１よりも上方に位置するようになる。続いて、この状態を維持しながら、貯留体１１の貯留凹部２８、椀状部２７及び上側壁部２６を容器本体２の内部に挿入して、容器本体２の上面に貯留体１１の円筒状壁部２５の下面を載置する。続いて、キャップ本体１０の下側胴部１６に設けた雌ねじ部１９を容器本体２に設けた雄ねじ部４に螺合する。この螺合時キャップ本体１０を回転させると貯留体１１も同様に回転するようになる。この結果、キャップ本体１０の吐出筒状部１７と、貯留体１１の椀状部２７及び貯留凹部２８とは、それぞれの中心が容器本体２の中心から円筒状壁部２５に設けた係合突起部３０とは径方向反対側に偏心する位置に配置される。続いて、蓋体１２の有底円筒状部３７をキャップ本体１０の吐出筒状部１７に挿入すると共に把持部３８の雌ねじ部４１とキャップ本体１０の吐出筒状部１７の雄ねじ部３１とを螺合する。この結果、有底円筒状部３７の底部３４が吐出筒状部１７内の環状段部２０に当接され、蓋体１２の係合筒状部４２の外周面が吐出筒状部１７の上部内周面に密着するようになる。また、蓋体１２の有底円筒状部３７の底部３４とキャップ本体１０の吐出筒状部１７に設けた開口部２１の上端とが略同一平面上に位置するようになる。さらに、この状態では、蓋体１２の有底円筒状部３７の外周面とキャップ本体１０の吐出筒状部１７の内周面との間に隙間が現出する範囲がある。
【００１９】
この結果、図１に示すように、貯留体１１とキャップ本体１０との間の空間が、容器本体２を倒立させた状態で容器本体２内の内容物を貯留体１１に設けた各流出孔３６を経由して貯留させる第１貯留室４５として機能する。また、キャップ本体１０の吐出筒状部１７の開口部２１と対向する周壁と、蓋体１２の有底円筒状部３７の底部３４と、貯留体１１に設けた貯留凹部２８との間の空間が、容器本体２を正立させた状態で内容物を第１貯留室４５から流れ込み貯留させる第２貯留室４６として機能する。
【００２０】
次に、本考案の実施形態に係る定量吐出キャップ１の作用を図５に基づいて説明する。
まず最初に使用する際、図５（ａ）に示すように、蓋体１２の有底円筒状部３７をキャップ本体１０の吐出筒状部１７に挿入して、把持部３８の雌ねじ部４１をキャップ本体１０の吐出筒状部１７の雄ねじ部３１に螺合した状態で、容器本体２を倒立させる。すると、図５（ｂ）に示すように、容器本体２内の内容物は、貯留体１１の各流出孔３６から貯留体１１とキャップ本体１０との間に設けた第１貯留室４５に流れ込み貯留される。
次に、図５（ｃ）に示すように、容器本体２を正立させると、第１貯留室４５に貯留されている内容物の大部分は貯留体１１の各流出孔３６から再び容器本体２内に戻るが、内容物の一部分は、第２貯留室４６、すなわち、キャップ本体１０の吐出筒状部１７の開口部２１と対向する周壁と蓋体１２の有底円筒状部３７の底部３４と貯留体１１に設けた貯留凹部２８とに間に設けた空間を含む、貯留体１１の椀状部２７に設けた各流出孔３６から下方の部位に貯留される。
【００２１】
次に、使用時には、図５（ｄ）に示すように、蓋体１２の有底円筒状部３７をキャップ本体１０の吐出筒状部１７から抜き取り、図５（ｄ）の矢印の方向に傾けながら略倒立させれば、第２貯留室４６内の内容物は、キャップ本体１０の吐出筒状部１７に案内されて外部に吐出される。一方、貯留体１１の椀状部２７に設けた各流出孔３６から下方の部位に貯留されていた内容物は、その微量が第２貯留室４６からキャップ本体１０の吐出筒状部１７に沿って外部に吐出されるが、そのほとんどの内容物は再び第１貯留室４５に流れ込むようになる。これと同時に、容器本体２内の内容物が再び貯留体１１の各流出孔３６から第１貯留室４５に流れ込む。
次に、使用後は、容器本体２を正立させて、蓋体１２の有底円筒状部３７をキャップ本体１０の吐出筒状部１７に挿入すると共に把持部３８の雌ねじ部４１をキャップ本体１０の吐出筒状部１７の雄ねじ部３１に螺合すると、図５（ｃ）に示すように、再び第１貯留室４５の内容物の一部分が、第２貯留室４６を含む、貯留体１１の椀状部２７に設けた各流出孔３６から下方の部位に貯留される。
【００２２】
以上説明したように、本考案の実施の形態に係る定量吐出キャップ１は、容器本体２に装着され、吐出筒状部１７を有するキャップ本体１０と、該吐出筒状部１７の下方に容器本体２内の内容物を覆うように配置される貯留体１１と、キャップ本体１０の吐出筒状部１７内に挿入される有底円筒状部３７を有する蓋体１２とから構成されており、貯留体１１とキャップ本体１０との間の空間を第１貯留室４５として機能させ、また、キャップ本体１０の吐出筒状部１７の開口部２１と対向する周壁と、蓋体１２の有底円筒状部３７の底部３４と、貯留体１１に設けた貯留凹部２８との間の空間を第２貯留室４６として機能させる。
これにより、内容物を使用する際には、容器本体２を図５（ｄ）の矢印の方向に傾けながら略倒立させることで、キャップ本体１０の吐出筒状部１７から略一定量の内容物が外部に吐出されるようになる。
【符号の説明】
【００２３】
１  定量吐出キャップ，２  容器本体，１０  キャップ本体，１１  貯留体，１２  蓋体，１７  吐出筒状部，２１  開口部，２８  貯留凹部，３４  底部，３６  流出孔，３７  有底円筒状部，３８  把持部，４５  第１貯留室，４６  第２貯留室，４７  天面壁部
【図１】
0003180754.tif 000003
【図２】
0003180754.tif 000004
【図３】
0003180754.tif 000005
【図４】
0003180754.tif 000006
【図５】
0003180754.tif 000007